(57)【要約】【課題】燃料の貯留機能を向上させた燃料用フィルターを提供する。【解決手段】濾材シート２３で袋状に形成されたフィルター部材２４の内部に多孔質部材からなる塊状の形状保持部材２５を配設する。こうした構成であれば、フィルター部材２４で濾過された燃料の一部が形状保持部材２５の気孔に保持されることから、フィルター部材２４内に燃料を貯留することができる。また形状保持部材２５には、吸引口に燃料が流入しやすいように、該吸引口まで燃料を導く貫通孔及び該貫通孔の開口から延びる流路溝３６が形成されている。【選択図】図２
2012087726.tif 000002
【特許請求の範囲】
【請求項１】
濾材シートで袋状に形成されたフィルター部材の内部に燃料を貯留する多孔質部材を有する燃料用フィルター。
【請求項２】
前記多孔質部材は、
前記フィルター部材を構成する前記濾材シートに包まれた一つの構造体である
請求項１に記載の燃料用フィルター。
【請求項３】
前記フィルター部材内の燃料を吸引するための吸引口が形成された吸引部材を有し、
前記多孔質部材は、
該多孔質部材の外表面のうちで前記吸引口と対向する部位と該部位とは異なる他の部位とを繋いで前記吸引口に燃料を導く誘導路を有する
請求項２に記載の燃料用フィルター。
【請求項４】
前記誘導路は、前記多孔質部材を貫通し前記吸引口に対向する部位に開口する貫通孔である
請求項３に記載の燃料用フィルター。
【請求項５】
前記誘導路は、前記貫通孔の開口から前記多孔質部材の外表面に沿って延びる溝を有する
請求項４に記載の燃料用フィルター。
【請求項６】
前記多孔質部材が、粉末状の粒体を焼結させた焼結体で構成されており、
前記吸引部材は、インサート成形により前記多孔質部材と一体成形されている
請求項３〜５のいずれか一項に記載の燃料用フィルター。
【発明の詳細な説明】
【技術分野】
【０００１】
本発明は、燃料タンク内で燃料を濾過する燃料用フィルターに関する。
【背景技術】
【０００２】
自動車や自動二輪車等における燃料タンク内の燃料は、通常、内燃機関を動力源とするフューエルポンプを用い、燃料タンク内に配設された燃料フィルターを通して内燃機関に供給される。こうした燃料用フィルターとしては、例えば特許文献１に記載のように、メッシュ織物や不織布等の濾材シートから形成される袋状のフィルター部材を用いるものが知られている。
【０００３】
特許文献１に記載の燃料用フィルターは、袋状に形成されたフィルター部材の内部に、対向する一対のシート部分を該内部において互いに離間させる骨格としてのフレーム部材が配設されている。そして、一対のシート部分の各々で濾過された燃料は、これらシート部分で囲まれるフィルター部材の内部を通して内燃機関へ供給される。このような構成によれば、フィルター部材の外表面が一対のシート部分によって構成されるため、フィルター部材が有する外表面の略全体で濾過機能が発現するようになる。
【先行技術文献】
【特許文献】
【０００４】
【特許文献１】特許第３３５３９８６号公報
【発明の概要】
【発明が解決しようとする課題】
【０００５】
ところで、上述した燃料用フィルターでは、燃料タンク内における燃料の残量が少なくなると、路面の傾斜等によっては、フィルター部材の一部が燃料に浸されなくなる場合がある。そして、このような状態において内燃機関が停止すると、フィルター部材内の液面と燃料タンク内の液面とが略等しくなるように、フィルター部材内の燃料が濾材を通じて再びフィルター部材外へ流出することになる。このようにフィルター部材内の燃料の一部がフィルター部材外へ流出すると、内燃機関に供給可能な濾過後の燃料が減少することになるため、内燃機関の再始動時に該内燃機関に対して十分な燃料が供給されない虞がある。また、こうした燃料の供給不足は、内燃機関の円滑な始動を妨げる要因でもある。それゆえに、上述した燃料用フィルターには、フィルター部材の内部に燃料を貯留するという機能が強く望まれていた。
【０００６】
本発明は、上記実状を鑑みてなされたものであり、その目的は、濾過した燃料をフィルター内に貯留することの可能な燃料用フィルターを提供することにある。
【課題を解決するための手段】
【０００７】
請求項１に記載の燃料用フィルターは、濾材シートで袋状に形成されたフィルター部材の内部に燃料を貯留する多孔質部材を有することを要旨とする。
請求項１に記載の燃料用フィルターによれば、濾材シートで濾過された燃料の一部が多孔質部材の気孔に保持される。それゆえに、濾過された燃料がフィルター部材外へ流出することを抑えることができ、フィルター部材内に燃料を貯留することができる。
【０００８】
請求項２に記載の燃料用フィルターは、前記多孔質部材は、前記フィルター部材を構成する前記濾材シートに包まれた一つの構造体であることを要旨とする。
請求項２に記載の燃料用フィルターによれば、多孔質部材がフィルター部材の内部に配
設される一つの構造体であることから、該多孔質部材のみでフィルター部材の形状を保持することができる。こうした構成によれば、フィルター部材の形状を保持する部材と多孔質部材とが別部材である場合に比べて、燃料用フィルターの構成部品が少なくなることから、燃料用フィルターの組立時における作業性を向上させることができる。
【０００９】
請求項３に記載の燃料用フィルターは、前記フィルター部材内の燃料を吸引するための吸引口が形成された吸引部材を有し、前記多孔質部材は、該多孔質部材の外表面のうちで前記吸引口と対向する部位と該部位とは異なる他の部位とを繋いで前記吸引口に燃料を導く誘導路を有することを要旨とする。
【００１０】
ここで、例えばフィルター部材の内部が負圧状態になることによって吸引口が多孔質部材で塞がれてしまうと、燃料が吸引口に流入しにくくなりフューエルポンプの吸引負荷が著しく増大してしまう虞がある。この点、請求項３に記載の燃料用フィルターによれば、多孔質部材には、その外表面のうちで吸引口に対向する部位と該部位とは異なる他の部位とを繋ぐ誘導路が形成されている。こうした構成によれば、たとえフィルター部材の内部が負圧状態になったときに吸引口が誘導路と対峙することから、吸引口が多孔質部材で塞がれることがなくなるとともに、フィルター部材で濾過された燃料が誘導路を通じて吸引口に流入することになる。それゆえに、燃料用フィルターの貯留機能を維持しつつ、フューエルポンプの吸引負荷を抑えることもできる。
【００１１】
請求項４に記載の燃料用フィルターは、前記誘導路は、前記多孔質部材を貫通し前記吸引口に対向する部位に開口する貫通孔であることを要旨とする。
フィルター部材の内部が負圧状態になると、フィルター部材が多孔質部材に密着することになる。こうした状況下においては、吸引口に流入する燃料の大部分が、多孔質部材に設けた誘導路に対向する部位で濾過された燃料となる。そのため、吸引口側における多孔質部材の外表面にのみ誘導路を形成するとなれば、多孔質部材を挟んで吸引口の反対側における濾材シートで濾過された燃料が吸引口に流入しにくくなる。この点、請求項４に記載の燃料用フィルターによれば、多孔質部材を挟んで吸引口の反対側における濾材シートで濾過された燃料を確実に吸引口に流入させることができる。
【００１２】
請求項５に記載の燃料用フィルターは、前記誘導路は、前記貫通孔の開口から前記多孔質部材の外表面に沿って延びる溝を有することを要旨とする。
請求項５に記載の燃料用フィルターによれば、たとえフィルター部材の内部が負圧状態になったとしても、多孔質部材の周縁から吸引口までの流通経路を確保することができる。すなわち、吸引口に流入する燃料の濾過をフィルター部材の広い範囲で行うことができる。これにより、フィルター部材における部分毎の濾過効率の違いを小さくすることができるとともに、フューエルポンプの吸引負荷をさらに抑えることができる。
【００１３】
請求項６に記載の燃料用フィルターは、前記多孔質部材が、粉末状の粒体を焼結させた焼結体で構成されており、前記吸引部材は、インサート成形により前記多孔質部材と一体成形されていることを要旨とする。
【００１４】
請求項６に記載の燃料用フィルターによれば、多孔質部材と吸引部材とが一体形成されていることから、燃料用フィルターの組立時における作業効率を向上させることができる。また、多孔質部材と吸引部材との相対位置が変化しないことから、多孔質部材に上記貫通孔や溝を形成した場合には、多孔質部材によって吸引口が塞がれることを確実に防止することができる。
【図面の簡単な説明】
【００１５】
【図１】本発明の一実施の形態に係る燃料用フィルターを用いた燃料供給装置の概略構成を模式的に示す図。
【図２】（ａ）燃料用フィルターの斜視構造を示す斜視図であって、一部、フィルター部材の内部を示す図、（ｂ）溶着部における濾材の断面構造を示す断面図。
【図３】燃料用フィルターの断面構造を示す断面図。
【図４】形状保持部材の平面構造を示す斜視図。
【発明を実施するための形態】
【００１６】
以下、本発明に係る燃料用フィルターの一実施の形態について図１〜図４を参照して説明する。まず、燃料用フィルターが用いられる燃料供給装置について説明する。図１は、燃料供給装置の概略構成を模式的に示す図である。
【００１７】
図１に示されるように、燃料供給装置１０は、燃料Ｆが貯留された燃料タンク１１と、該燃料タンク１１内に配置されたチャンバ１２及びフューエルポンプ１３と、該チャンバ１２内に配設される燃料用フィルター２０とを有している。燃料用フィルター２０は、屈曲可能に構成されて燃料Ｆを濾過するフィルター体２１と、フィルター体２１に接続される連結部材２２とを有している。フィルター体２１は、その一端がチャンバ１２の底壁を押圧するように配置されており、上記連結部材２２を介してフューエルポンプ１３に接続されている。フューエルポンプ１３は、フランジ１４によって燃料タンク１１に固定された供給用配管１５に接続されている。そして燃料供給装置１０は、フューエルポンプ１３が駆動されることによって、チャンバ１２内の燃料Ｆを燃料用フィルター２０で濾過し、供給用配管１５を通じて、その濾過された燃料Ｆを内燃機関１６へ供給する。
【００１８】
次に、上述した燃料用フィルター２０について図２〜図４を参照して詳しく説明する。図２（ａ）は、燃料用フィルターの斜視構造を示す斜視図であって、同図２（ａ）では、燃料用フィルターの内部構造を説明するために、燃料用フィルターの一部が切り欠かれた状態を示す。図２（ｂ）は、溶着部における濾材シートの断面構造を示す断面図である。図３は、燃料用フィルターの断面構造を示す断面図であって、吸引口を含む長手方向に沿う断面構造を示している。図４は、形状保持部材の平面構造を示す平面図である。
【００１９】
図２（ａ）及び図３に示されるように、燃料用フィルター２０は、フィルター体２１と連結部材２２とを有している。フィルター体２１は、対向するシート部分２３ａ，２３ｂによって扁平な袋状に形成されるフィルター部材２４と、該フィルター部材２４内に配設される塊状の構造体である形状保持部材２５と、フィルター体２１と連結部材２２とを連結するとともにフィルター部材２４内の燃料Ｆを吸引するための吸引口３１が形成された吸引部材３２とで構成される。
【００２０】
フィルター部材２４は、複数のシート状の合成繊維が積層された１枚の濾材シート２３から形成されている。フィルター部材２４は、一つの折り目で二重に折り重ねられた上記濾材シート２３を有し、該折り目で区画された上側シート部分２３ａと下側シート部分２３ｂとが互いの縁で溶着されることにより袋状に形成されている。図２（ｂ）に示されるように、本実施形態の濾材シート２３は、ポリプロピレン繊維で形成された不織布２６ａを最内層として有し、油と水とを分離可能な平織りのメッシュ織物２７を最外層として有している。これら不織布２６ａとメッシュ織物２７との間には、内側に位置するものほどメッシュのサイズが小さくなるように、不織布２６ｂ，２６ｃが積層されている。
【００２１】
こうした濾材シート２３で構成されるフィルター部材２４においては、外側に位置する層で粒径の大きな異物が捕捉され、内側に位置する層で粒径の小さな異物が捕捉される。すなわち、サイズの異なる異物が互いに異なる層で捕捉されるため、各層における目詰まりを抑えることができる。なお、スパンボンド法で形成された不織布を最内層である不織布２６ａに採用し、且つメルトブロウン法で形成された不織布を中間層である不織布２６
ｂ，２６ｃに採用すれば、相対的に高い剛性が不織布２６ａに与えられるため、不織布２６ａと形状保持部材２５との擦れによって不織布からパーティクルが発生することを抑えることができる。
【００２２】
濾材シート２３には、最内層となる不織布２６ａ側から不織布２６ａ，２６ｂ，２６ｃ、メッシュ織物２７を超音波溶着法で溶着させた複数の溶着部２８が離散的に設けられている。複数の溶着部２８の各々は、フィルター部材２４の内面に円形孔状に形成されている。このような溶着部２８が形成されることによって、積層された不織布２６ａ，２６ｂ，２６ｃ、及びメッシュ織物２７が互いに固定される。そのため、燃料用フィルター２０の使用時において、これら不織布２６ａ，２６ｂ，２６ｃ、及びメッシュ織物２７が互いにずれることを抑えることが可能である。また、不織布２６ａ，２６ｂ，２６ｃ、及びメッシュ織物２７が積層された母材から濾材シート２３を切り出すこと、さらには、これらが積層された状態で燃料用フィルター２０を組み立てることが可能である。
【００２３】
フィルター部材２４内に配設される形状保持部材２５は、図２〜図４に示されるように、略直方体形状に形成されており、その外表面でフィルター部材２４の内面を支持することにより該フィルター部材２４の内部空間の形状を保持する。形状保持部材２５は、連続気孔構造を有した多孔質材で構成されており、本実施の形態では、合成樹脂からなる粉末状の粒体を金型に充填し、その後の加熱で各粒体を焼結させることによって形成される焼結体である。
【００２４】
吸引部材３２は、連結部材２２が連結されるとともに吸引口３１が貫通形成された多段円筒形状をなしており、形状保持部材２５における長手方向の略中央部分に配設されている。吸引部材３２は、フィルター部材２４に形成された露出孔４０を通じて外表面に露出して、その大径円筒部において図示しない係合部を介して連結部材２２に連結される。
【００２５】
こうした多孔質材で形状保持部材２５を構成することにより、フィルター部材２４で濾過された燃料Ｆの一部が形状保持部材２５の気孔に保持されることから、フィルター部材２４内における燃料の流動を抑えることができる。すなわち、例えば車両の姿勢の変化にともなってフィルター部材２４の一部が燃料Ｆに浸されなくなっても、一旦濾過された燃料Ｆがフィルター部材２４外へ流出することを抑えることができる。しかも、形状保持部材２５が連続気孔構造を有した多孔質材からなることから、フィルター部材２４の一端が燃料Ｆに浸されていれば、毛細管現象によって形状保持部材２５全体に燃料Ｆが浸透する。そのため、燃料Ｆの残量が少なくなってフィルター部材２４の一部が常に燃料Ｆに浸されない状況になったとしても、形状保持部材２５全体で燃料Ｆを貯留することができる。すなわち、多孔質材で形状保持部材２５を構成することによって、燃料用フィルター２０の貯留機能を向上させることができる。
【００２６】
ここで、フューエルポンプ１３の稼動にともなってフィルター部材２４の内部が負圧状態になったとき、吸引部材３２の吸引口３１が形状保持部材２５の上面２５ａで塞がれてしまうとなればフューエルポンプ１３の吸引負荷が著しく増大してしまう。これに対して、本実施の形態の形状保持部材２５は、図３及び図４に示されるように、誘導路として、吸引部材３２の吸引口３１に対向する部位に開口する貫通孔３５を有している。こうした構成によれば、吸引口３１が形状保持部材２５によって塞がれることがなくなり、フィルター部材２４で濾過された燃料Ｆを貫通孔３５を通じて吸引口３１に流入させることができる。これにより、燃料用フィルター２０の貯留機能を維持しつつ、フューエルポンプ１３への吸引負荷を抑えることができる。また、上記貫通孔３５を設けることによって、形状保持部材２５を挟んで吸引口３１の反対側にある下側シート部分２３ｂで濾過された燃料が吸引口３１に流入しやすくもなる。
【００２７】
一方、フィルター部材２４のうちで貫通孔３５の開口から離れている部分で濾過された燃料Ｆは、形状保持部材２５とフィルター部材２４との隙間を通して貫通孔３５に流入することになる。しかし、フィルター部材２４の内部が負圧状態になると形状保持部材２５とフィルター部材２４とが密着してしまうため、形状保持部材２５とフィルター部材２４との隙間を燃料Ｆが流通し難くなる。そのため、貫通孔３５の開口付近における濾材シート２３で濾過された燃料Ｆが主に吸引口３１に流入することになる。すなわち、形状保持部材２５に貫通孔３５を設けただけでは、フィルター部材２４の部分毎に濾過の効率の違いが生じてしまう。
【００２８】
そこで、本実施の形態の形状保持部材２５には、図４に示されるように、上面２５ａ及び下面２５ｂに、誘導路として、貫通孔３５の開口から周縁部に向かって直線状に延びる流路溝３６が複数形成されている。こうした構成であれば、たとえフィルター部材２４の内部が負圧状態になったとしても、形状保持部材２５の周縁部から吸引口３１への燃料Ｆの流通経路を確保することができる。すなわち、フィルター部材２４の周縁部で濾過された燃料Ｆを流路溝３６を通して吸引口３１に流入させることができ、これにより、燃料Ｆの濾過をフィルター部材２４の略全体で行うことができる。それゆえに、フィルター部材２４における部分毎の濾過の効率の違いを小さくすることができるとともに、フューエルポンプ１３の吸引負荷をさらに抑えることもできる。
【００２９】
つまり、上述した構成の形状保持部材２５においては、多孔質材による燃料Ｆの貯留機能の他、貫通孔３５及び流路溝３６によって吸引口３１までの燃料Ｆの流通経路も確保されている。それゆえに、フューエルポンプ１３の吸引負荷、フィルター部材２４における濾過の効率のばらつきを抑えつつ、燃料用フィルター２０の貯留機能を向上させることができる。
【００３０】
図２（ａ）及び図３に示されるように、連結部材２２の下端部４６は、図示しない係合部を介して形状保持部材２５の吸引部材３２に連結され、連結部材２２の上端部４７は、フューエルポンプ１３に連結される（図１参照）。連結部材２２には、下端部４６から上端部４７までを貫通するように連絡通路４５が形成され、この連絡通路４５には、その下端部４６側において吸引部材３２の小径円筒部が挿入される。また連結部材２２の下端部４６は、吸引部材３２の大径円筒部と該下端部４６とによって上側シート部分２３ａが挟持された状態で、吸引部材３２に連結されている。そして、フューエルポンプ１３が稼動すると、吸引口３１に流入した燃料Ｆは、連結部材２２の連絡通路４５を通じてフューエルポンプ１３に導入される。
【００３１】
なお、本実施の形態の吸引部材３２は、焼結成形される形状保持部材２５にインサート成形されることで該形状保持部材２５と一体形成されている。こうした構成によれば、形状保持部材２５と吸引部材３２とを別部材で構成した場合に比べて、燃料用フィルター２０の組立時における作業効率を向上させることができる。また、形状保持部材２５と吸引部材３２との相対位置が変化しないことから、形状保持部材２５の上面２５ａが吸引口３１を塞ぐことを確実に防止することもできる。
【００３２】
ちなみに、上述した構成の形状保持部材２５を焼結成型可能な合成樹脂としては、例えばポリプロピレンやポリエチレンなどが挙げられる。また、形状保持部材２５における燃料Ｆの貯留性や毛細管現象による浸透性を考慮すると、形状保持部材２５を構成する多孔質材の気孔径は、２０〜３００μｍであることが好ましい。
【００３３】
以上説明したように、本実施の形態に係る燃料用フィルター２０によれば、以下列記するような効果が得られるようになる。
（１）上記実施形態のように、形状保持部材２５を多孔質材で構成することにより、濾
過された燃料Ｆを形状保持部材２５の気孔で保持させることができる。これにより、一旦濾過された燃料Ｆがフィルター部材２４外へ流出することを抑えることができる。それゆえに、燃料用フィルター２０に燃料を貯留することができる。
【００３４】
（２）また、形状保持部材２５を多孔質材で構成することにより、多孔質部材と形状保持部材２５とが別部材である場合に比べて、燃料用フィルター２０の構成部品が少なくなることから、燃料用フィルターの組立時における作業性を向上させることができる。
【００３５】
（３）また、毛細管現象に基づく多孔質部材の浸透性によって、フィルター部材２４の一端部で濾過された燃料Ｆであっても、形状保持部材２５全体で貯留することができる。
（４）上記実施形態の形状保持部材２５には、吸引口３１に対向する部位に開口する貫通孔３５が形成されている。こうした構成によれば、吸引口３１が形状保持部材２５によって塞がれることがなく、濾過された燃料Ｆを貫通孔３５を通じて吸引口３１に流入させることができる。これにより、燃料用フィルターの貯留機能を維持しつつ、フューエルポンプ１３の吸引負荷を抑えることができる。
【００３６】
（５）上記実施形態では、形状保持部材２５の上面２５ａ及び下面２５ｂに、貫通孔３５の開口から周縁部に向かって延びる流路溝３６が複数形成されている。こうした構成によれば、フィルター部材２４内が負圧状態になったとしても、形状保持部材２５の周縁部から貫通孔３５への燃料Ｆの流通経路が確保される。これにより、燃料Ｆの濾過をフィルター部材２４の広い範囲で行うことができる。その結果、フィルター部材２４における部分毎の濾過の効率の違いを小さくすることができるとともに、フューエルポンプ１３の吸引負荷をさらに抑えることもできる。
【００３７】
（６）上記実施形態では、吸引部材３２を形状保持部材２５にインサート成形することにより、これらを一体形成した。こうした構成によれば、形状保持部材２５と吸引部材３２とを別部材で構成した場合に比べて、燃料用フィルター２０の組立時における作業効率を向上させることができる。また、形状保持部材２５と吸引部材３２との相対位置が変化しないことから、形状保持部材２５の上面２５ａが吸引口３１を塞ぐことを確実に防止することもできる。
【００３８】
（７）上記実施形態の形状保持部材２５は、フィルター部材２４の内面を外表面で支持するとともにフィルター部材２４内の空間をおおよそ満たすような塊状に形成した。こうした構成によれば、形状保持部材がフィルター部材２４内の形状を保持する枠体状のフレーム部材である場合に比べて、より多くの燃料Ｆを形状保持部材２５に貯留させることができる。
【００３９】
（８）上記実施形態のように、燃料用フィルター２０の貯留機能が向上することにより、燃料タンク１１内に設けたチャンバ１２を省くこともできる。
なお、上記実施の形態は、以下のような態様をもって実施することもできる。
【００４０】
・上記実施形態では、合成樹脂からなる粒体を焼結することによって多孔質材の形状保持部材２５を形成した。これに限らず、形状保持部材２５の材質は、焼結成形可能なものあればよく、例えば金属材やセラミックス等であってもよい。
【００４１】
・上記実施形態では、粉末状の粒体を焼結することによって多孔質材の形状保持部材２５を形成した。これに限らず、形状保持部材２５は、燃料Ｆを貯留可能な多孔質材で構成されていればよく、例えば、スポンジなどの発泡成型体であってもよい。
【００４２】
・上記実施形態では、形状保持部材２５と吸引部材３２とが一体形成されている。これ
を限らず、形状保持部材２５と吸引部材３２とは、一体形成されていなくてもよい。こうした構成であっても、上記（１）〜（５）に記載した効果と同様の効果を得ることができる。このときの吸引部材３２は、例えば溶着等によって、形状保持部材２５に固定されてもよいしフィルター部材２４に固定されてもよい。
【００４３】
・上記実施形態の誘導路は、貫通孔３５に連通する流路溝３６を有している。これに限らず誘導路は、流路溝３６を割愛して貫通孔３５のみで構成されてもよい。こうした構成であっても、上記（１）〜（４）に記載した効果と同様の効果を得ることができるとともに、流路溝３６を割愛した分だけ、形状保持部材２５の貯留機能をさらに向上させることができる。
【００４４】
・また、貫通孔３５は、該貫通孔３５が有する開口の１つが吸引口３１に対向する部位にあればよく、例えば、吸引口３１に対向する部位の他、形状保持部材２５の上面２５ａ及び下面２５ｂに複数の開口を有するような構成であってもよい。
【００４５】
・上記実施形態の誘導路は、吸引口３１に対向する部位に開口する貫通孔３５を有している。これに限らず誘導路は、貫通孔３５を割愛し、吸引口３１に対向する部位を通る流路溝３６のみで構成されてもよい。なお、この際の流路溝３６は、吸引口３１に対向する部位から、形状保持部材２５の上面２５ａ、側面を通って下面２５ｂまで延びるような構成が好ましい。こうした構成であれば、上記（１）〜（５）に記載した効果と同様の効果を得ることができる。
【００４６】
・また、誘導路は、例えば、形状保持部材２５の上面２５ａ及び下面２５ｂに形成された流路溝３６と、これらの流路溝３６を連通させる貫通孔とによって構成されてもよい。こうした構成であっても、上記（１）〜（５）に記載した効果と同様の効果を得ることができる。
【００４７】
・上記実施形態の形状保持部材２５には、貫通孔３５と流路溝３６とで構成された誘導路が形成されている。これに限らず、形状保持部材２５から誘導路を割愛してもよい。こうした構成であっても、上記（１）〜（３）に記載した効果と同様の効果を得ることができるとともに、誘導路を割愛した分だけ、形状保持部材２５の貯留機能をさらに向上させることができる。
【００４８】
・上記実施形態の形状保持部材２５は、フィルター部材２４の内部を満たすような塊状に形成されている。これを変更して、形状保持部材は、多孔質材で構成されていればよく、例えばフィルター部材２４の形状を保つような枠体状であってもよい。こうした構成であっても、上記（１）（２）に記載した効果と同様の効果を得ることができる。
【００４９】
・上記実施形態では、形状保持部材２５を多孔質部材とした。これに限らず、形状保持部材と多孔質部材とが各別に備えられる構成であってもよい。例えば、形状保持部材がフィルター部材２４の形状を保つ枠体状のフレーム部材である場合には、該フレーム部材で形成されるフィルター部材２４内の空間に、別途、多孔質部材が配設されるものであってもよい。こうした構成であっても、上記（１）に記載した効果と同様の効果を得ることができる。
【００５０】
・フィルター部材２４の内部には、複数の多孔質部材が配設されていてもよい。
【符号の説明】
【００５１】
Ｆ…燃料、１０…燃料供給装置、１１…燃料タンク、１２…チャンバ、１３…フューエルポンプ、１４…フランジ、１５…供給用配管、１６…内燃機関、２０…燃料用フィルタ
ー、２１…フィルター体、２２…接続部材、２３…濾材シート、２３ａ…上側シート部分、２３ｂ…下側シート部分、２４…フィルター部材、２５…形状保持部材、２５ａ…上面、２５ｂ…下面、２６ａ，２６ｂ，２６ｃ…不織布、２７…メッシュ織物、２８…溶着部、３１…吸引口、３２…吸引部材、３５…貫通孔、３６…流路溝、４０…露出孔、４５…連絡通路、４６…下端部、４７…上端部。
【図１】
2012087726.tif 000003
【図２】
2012087726.tif 000004
【図３】
2012087726.tif 000005
【図４】
2012087726.tif 000006